(57)【要約】【課題】複数の設備の管理を効率的に行わせることができる電力設備監視制御システム、管理サーバ、管理端末、及びプログラムを提供する。【解決手段】実施形態の電力設備監視制御システムは、複数の認証装置と、管理サーバと、を持つ。複数の認証装置は、それぞれが表示部を備え、通信網に接続された複数の電力設備を管理するための複数の管理端末に対応付けられ、予め記憶された認証データに基づくユーザの認証に用いられる。管理サーバは、通信網に接続され、複数の電力設備のそれぞれと一以上のユーザとを関連付けて管理し、複数の認証装置のうち１つの認証装置を介した認証が成立した場合、１つの認証装置に対応付けられた管理端末に、ユーザに関連づけられている電力設備の管理画面を表示させる。【選択図】図１
2018152967.tif 000002
【特許請求の範囲】
【請求項１】
それぞれが表示部を備え、通信網に接続された複数の電力設備を管理するための複数の管理端末に対応付けられ、予め記憶された認証データに基づくユーザの認証に用いられる複数の認証装置と、
前記通信網に接続され、前記複数の電力設備のそれぞれと一以上のユーザとを関連付けて管理し、前記複数の認証装置のうち１つの認証装置を介した認証が成立した場合、前記１つの認証装置に対応付けられた前記管理端末に、前記ユーザに関連づけられている前記電力設備の管理画面を表示させる管理サーバと、を備える、
電力設備監視制御システム。
【請求項２】
前記管理サーバは、前記複数の認証装置のうち１つの認証装置を介した認証が成立した場合、前記認証に用いられた認証装置が前記複数の認証装置のうちいずれの認証装置であるかにかかわらず、前記１つの認証装置に対応付けられた前記管理端末に、前記ユーザに関連づけられている前記電力設備の前記管理画面を表示させる、
請求項１に記載の電力設備監視制御システム。
【請求項３】
前記管理サーバは、前記ユーザが管理する前記電力設備の業務に対応した前記管理画面を前記ユーザに関連付けて管理する、
請求項１または２に記載の電力設備監視制御システム。
【請求項４】
前記管理サーバは、前記認証装置を用いた前記ユーザの認証が解除された場合、解除されてから所定時間が経過するまでは前記管理端末に前記ユーザに関連付けられている前記電力設備の管理画面を表示させ、前記所定時間が経過した後は前記表示部を認証前の画面に戻す、
請求項１から３のいずれか１項に記載の電力設備監視制御システム。
【請求項５】
それぞれが表示部を備え、通信網に接続された複数の電力設備を管理するための複数の管理端末と、
前記管理端末に対応付けられ、前記電力設備を管理するユーザを認証する複数の認証装置と、に接続された管理サーバであって、
前記通信網に接続され、前記複数の電力設備のそれぞれと一以上のユーザとを関連付けて管理し、前記複数の認証装置のうち１つの認証装置を介した認証が成立した場合、前記１つの認証装置に対応付けられた前記管理端末に、前記認証が成立したユーザに関連づけられている前記電力設備の管理画面を表示させる、
管理サーバ。
【請求項６】
複数の認証装置のうち１つの認証装置でユーザが認証操作を行った場合、前記認証操作に基づく情報を前記認証装置から取得し、前記取得した情報と、予め記憶された認証データに基づいて前記電力設備を管理するユーザを認証する、
請求項５に記載の管理サーバ。
【請求項７】
複数の認証装置のうち１つの認証装置でユーザが認証操作を行った場合、前記認証操作が行われた認証装置から認証結果を取得する、
請求項５に記載の管理サーバ。
【請求項８】
それぞれが表示部を備え、通信網に接続された複数の電力設備を管理するための複数の管理端末と、前記管理端末に対応付けられ、前記電力設備を管理するユーザを認証する複数の認証装置と、に接続された管理サーバにより実行されるプログラムであって、
前記管理サーバに、
前記複数の電力設備のそれぞれと一以上のユーザとを関連付けて管理させ、
前記複数の認証装置のうち１つの認証装置を介した認証が成立した場合、前記１つの認証装置に対応付けられた前記管理端末に、前記認証が成立したユーザに関連づけられている前記電力設備の管理画面を表示する処理を実行させる、
プログラム。
【請求項９】
複数の認証装置のうち１つの認証装置でユーザが認証操作を行った場合、前記認証操作に基づく情報を前記認証装置から取得させ、前記取得した情報と、予め記憶された認証データに基づいて前記電力設備を管理するユーザを認証させる、
請求項８に記載のプログラム。
【請求項１０】
複数の認証装置のうち１つの認証装置でユーザが認証操作を行った場合、前記認証操作が行われた認証装置から認証結果を取得する、
請求項８に記載のプログラム。
【請求項１１】
それぞれが表示部を備え、通信網に接続された複数の電力設備を管理するための管理端末であって、
予め記憶された認証データに基づくユーザの認証に用いられる認証装置と接続され、
前記接続された認証装置を介した認証が成立した場合、前記通信網に接続された前記複数の電力設備のそれぞれと一以上のユーザとを関連付けて管理する管理サーバから、前記ユーザに関連づけられている前記電力設備の管理画面を表示するための情報を取得し、
前記管理サーバから取得した情報に基づく画面を、自身が有する表示部に表示させる、
管理端末。
【請求項１２】
それぞれが表示部を備え、通信網に接続された複数の電力設備を管理するための管理端末であって、予め記憶された認証データに基づくユーザの認証に用いられる認証装置と接続された管理端末により実行されるプログラムであって、
コンピュータに、
前記接続された認証装置を介した認証が成立した場合、前記通信網に接続された前記複数の電力設備のそれぞれと一以上のユーザとを関連付けて管理する管理サーバから、前記ユーザに関連づけられている前記電力設備の管理画面を表示するための情報を取得させ、
前記管理サーバから取得した情報に基づく画面を、自身が有する表示部に表示させる、
プログラム。
【発明の詳細な説明】
【技術分野】
【０００１】
本発明の実施形態は、電力設備監視制御システム、管理サーバ、管理端末、及びプログラムに関する。
【背景技術】
【０００２】
従来の電力系統監視制御装置は、中央給電指令所、変電所などの拠点ごとに閉じられたネットワークを構成し、それぞれの設備は、専用の端末で管理されていた。ところで近年は、クラウド等の技術を利用することにより、計算機をデータセンターに集中化して設置することができ、用いられる計算機の台数を減らすと共に、拠点同士の通信も可能となっている。このため、従来の技術では、複数の設備の管理を効率的に行わせることができない場合があった。
【先行技術文献】
【特許文献】
【０００３】
【特許文献１】特開２０１１−００３０３４号公報
【発明の概要】
【発明が解決しようとする課題】
【０００４】
本発明が解決しようとする課題は、複数の設備の管理を効率的に行わせることができる電力設備監視制御システム、管理サーバ、管理端末、及びプログラムを提供することである。
【課題を解決するための手段】
【０００５】
実施形態の電力設備監視制御システムは、複数の認証装置と、管理サーバと、を持つ。複数の認証装置は、それぞれが表示部を備え、通信網に接続された複数の電力設備を管理するための複数の管理端末に対応付けられ、予め記憶された認証データに基づくユーザの認証に用いられる。管理サーバは、前記通信網に接続され、前記複数の電力設備のそれぞれと一以上のユーザとを関連付けて管理し、前記複数の認証装置のうち１つの認証装置を介した認証が成立した場合、前記１つの認証装置に対応付けられた前記管理端末に、前記ユーザに関連づけられている前記電力設備の管理画面を表示させる。
【図面の簡単な説明】
【０００６】
【図１】第１の実施形態に係る電力設備監視制御システムの構成を示すブロック図。
【図２】電力設備監視制御システム１の処理の流れを示すフローチャート。
【図３】表示部に表示される管理画面Ｍの一例を示す図。
【図４】表示部に表示される管理画面Ｍの一例を示す図。
【図５】表示部に表示される管理画面Ｍの一例を示す図。
【図６】複数の拠点で認証されたユーザに表示される管理画面Ｍを示す図。
【図７】第２の実施形態に係る電力設備監視制御システムの構成を示すブロック図。
【図８】電力設備の業務に対応したユーザに表示される管理画面の例を示す図。
【図９】電力設備の他の業務に対応したユーザに表示される管理画面の例を示す図。
【図１０】電力設備の他の業務に対応したユーザに表示される管理画面の例を示す図。
【図１１】第３の実施形態に係る電力設備監視制御システムの構成を示すブロック図。
【図１２】従来の集中管理に基づいて表示される管理画面の一例を示す図。
【発明を実施するための形態】
【０００７】
以下、実施形態の電力設備監視制御システムを、図面を参照して説明する。
【０００８】
（第１の実施形態）
【０００９】
図１２は、比較例としての従来の集中管理に基づいて表示される管理画面の一例を示す図である。クラウド等の一括管理を行う技術を用いた従来の集中管理システムによると、拠点に関らずそれぞれの操作端末に全拠点の管理画面を表示させることが可能となる。しかしながら、図示するように、全拠点の管理画面を一つの操作端末で表示することは、拠点数に比例して表示される情報が増えるため、目的の画面を表示させるまでに時間がかかり業務効率の低下を招く可能性がある。また、他の類似した電力設備の管理画面を表示させ、誤操作を招く可能性がある。
【００１０】
図１は、第１の実施形態の電力設備監視制御システム１の構成を示すブロック図である。電力設備監視制御システム１は、例えばネットワーク（通信網）Ｗを介して電力設備Ｐａ，Ｐｂを制御するシステムである。電力設備監視制御システム１は、制御装置２Ａ，２Ｂと、管理サーバＳと、を備える。管理サーバＳは、認証サーバ７と、監視制御サーバ５と、を備える。
【００１１】
電力設備Ｐａ，Ｐｂは、例えば変電所である。制御装置２Ａは、電力設備Ｐａの拠点Ａに設置され、通常は電力設備Ｐａを管理する。同様に、制御装置２Ｂは、電力設備Ｐｂの拠点Ｂに設置され、通常は電力設備Ｐｂを管理する。ネットワークＷは、専用線で構成されていてもよいし、公衆網で構成されていてもよい。ネットワークＷの全部または一部は、有線または無線で構成されていてもよい。
【００１２】
電力設備Ｐ（Ｐａ，Ｐｂ）は、ネットワークＷに接続された遠方監視制御装置Ｑを介して制御装置２（２Ａ，２Ｂ）によって制御される。それぞれの制御装置２Ａ，２Ｂは、それぞれ異なる場所に配置されている。電力設備Ｐａ，Ｐｂを制御する制御装置２Ａ，２Ｂは２つの場合を例示しているが、２つ以上あってもよい。制御装置２、電力設備Ｐは、それぞれ同一の国内に配置されていてもよいし、外国に配置されていてもよい。
【００１３】
制御装置２Ａ，２Ｂは、ハブ（ＨＵＢ）Ｈを介してネットワークＷに接続されている。制御装置２Ａ，２Ｂは、ネットワークＷを介してそれぞれ管理サーバＳに接続されている。
【００１４】
以下、制御装置２Ａの構成について説明するが、制御装置２Ｂの構成も制御装置２Ａの構成と同様であってよい。制御装置２Ａは、制御装置クライアント３と、表示部４と、認証装置６とを備える。制御装置２Ａには、１つの認証装置６が対応付けられて接続されている。
【００１５】
制御装置２Ａは、接続されている認証装置６で認証された制御装置２Ａのユーザが電力設備Ｐａを管理するために用いられる制御装置である。制御装置２Ａは、接続されている認証装置６で制御装置２Ｂのユーザが認証された場合、電力設備Ｐｂを管理するためにも用いられ得る。制御装置２Ａは、制御装置クライアント３によって動作する。
【００１６】
制御装置クライアント３は、カード認証受付処理部３ａと、画面表示処理部３ｃと、を備える管理端末である。カード認証受付処理部３ａは、認証装置６に対応付けられた処理を行う。カード認証受付処理部３ａは、認証装置６が読み取ったカード読み取りデータ６ａ及び認証用データ３ｂを認証サーバ７に送信する。認証用データ３ｂは、認証装置６に対応した表示部４を特定するための情報を含んでいる。
【００１７】
画面表示処理部３ｃは、ユーザと対応付けられた管理画面Ｍの画面データ５ｃを監視制御サーバ５から受信する。画面表示処理部３ｃは、画面データ５ｃに基づいて表示画面データ３ｄを生成して表示部４にユーザに関連付けられた管理画面Ｍを表示させる。また、画面表示処理部３ｃは、認証サーバ７がユーザを認証しなかった通知を受信して照合エラー画面を表示するための表示画面データ３ｄを表示部４に出力する。
【００１８】
表示部４は、認証されたユーザが管理する電力設備の操作に関する管理画面Ｍ（図２〜４参照）を表示する表示装置である。例えば電力設備Ｐａを管理するユーザが認証された場合、表示部４には、電力設備Ｐａを操作する画面を含む管理画面Ｍが表示される。また、表示部４は、ユーザを認証しなかったことを示す表示画面データ３ｄに基づいて照合エラー画面を表示する。
【００１９】
また、制御装置２Ａで変電力設備Ｐｂを管理するユーザが認証された場合、表示部４には、電力設備Ｐｂを操作する画面を含む管理画面Ｍが表示される。表示部４は、制御装置クライアント３から受信した表示画面データ３ｄに基づいて電力設備の操作に関する管理画面Ｍを表示する。
【００２０】
認証装置６は、個々のユーザを例えばカード等の認証媒体によって認証するカード読み取り装置である。ユーザは、例えば自身が所有するカードを認証装置６にかざして自身を認証するための認証操作を行う。認証装置６は、制御装置クライアント３に対応付けられ、予め記憶された認証データに基づいて電力設備Ｐを管理するユーザを認証する。認証媒体は、カードに限定されずユーザを特定することができれば他の媒体を用いてもよい。
【００２１】
認証装置６は、ネットワークＷに接続された認証サーバ７を介してユーザを認証する。ユーザを認証する認証データは、認証サーバ７に記憶されている。認証装置６は、例えばユーザが所有するカードから、ユーザ個人を特定するＩＤデータを含むカード読み取りデータ６ａを読み取る。認証装置６は、例えばカードの認識状態を一定周期で確認し、カードを認識している間は認証を継続し、認識しなくなった際に認証解除を行う。
【００２２】
次に、管理サーバＳについて説明する。管理サーバＳは、例えば遠隔地に配置された、クラウドシステムにおいてシステムを一元的に管理するサーバである。管理サーバＳは、認証サーバ７と監視制御サーバ５とがそれぞれ別個に設けられている場合が例示されているが、認証サーバ７と監視制御サーバ５とが一体として設けられていてもよい。
【００２３】
管理サーバＳは、電力設備Ｐとユーザとをそれぞれ関連付けて管理している。管理サーバＳは、複数の認証装置６のうち１つの認証装置６がユーザを認証した場合、１つの認証装置６に対応付けられた制御装置クライアント３に、ユーザが管理する電力設備Ｐの操作に関する管理画面Ｍを表示させる。
【００２４】
認証サーバ７は、ユーザが認証装置６で行った認証操作に基づいてユーザを認証する。認証サーバ７は、ネットワークＷを介してユーザデータを一元的に管理する。認証サーバ７は、ユーザ毎カード登録処理部７ａと、ユーザ画面設定処理部７ｂと、カード認証照合処理部７ｃと、ユーザ画面処理部７ｄと、認証結果通知処理部７ｅと、記憶部Ｘとを備える。認証サーバ７には、認証サーバメンテナンス端末８が接続されている。認証サーバ７は、拠点毎に設けられ得る。その場合は、認証サーバメンテナンス端末８でユーザデータを一元的に管理してもよい。そして、この場合認証サーバ７は、認証装置６でユーザを認証させてもよい。
【００２５】
認証サーバメンテナンス端末８は、ユーザの認証データを管理する。ユーザデータを管理する管理者は、認証サーバメンテナンス端末８でユーザの増減や、ユーザデータの変更を管理する。認証サーバメンテナンス端末８には、ユーザを識別するためのカード識別データ８ａが入力される。また、認証サーバメンテナンス端末８には、管理画面Ｍを設定するための画面設定データ８ｂが入力される。
【００２６】
ユーザ毎カード登録処理部７ａは、認証サーバメンテナンス端末８から入力されたカード識別データ８ａを登録処理する。ユーザ毎カード登録処理部７ａは、入力されたカード識別データ８ａに基づいて、記憶部７Ｘに記憶されているユーザ毎カード識別データ７ｆを更新する。即ち、ユーザ毎カード識別データ７ｆは、ユーザを認証するためのデータベースである。
【００２７】
ユーザ画面設定処理部７ｂは、認証サーバメンテナンス端末８から入力された画面設定データ８ｂを登録処理する。ユーザ画面設定処理部７ｂは、入力された画面設定データ８ｂに基づいて、記憶部７Ｘに記憶されているユーザ毎画面データ７ｇを更新する。即ち、ユーザ毎画面データ７ｇは、ユーザ毎画面データ７ｇは、ユーザごとに対応付けられた管理画面Ｍの画面設定に関するデータベースである。
【００２８】
カード認証照合処理部７ｃは、各制御装置２Ａ，２Ｂから送信された認証用データ３ｂを受信する。カード認証照合処理部７ｃは、受信した認証用データ３ｂを記憶部７Ｘに記憶されているユーザ毎カード識別データ７ｆと照合する。カード認証照合処理部７ｃは、照合の結果が不一致となり、認証装置６で認証操作を行ったユーザを認証しなかった場合、照合失敗を示す通知を制御装置２Ａ，２Ｂの制御装置クライアント３に送信する。
【００２９】
カード認証照合処理部７ｃは、照合の結果が一致して、認証装置６で認証操作を行ったユーザを認証した場合、認証されたユーザの認証用データ３ｂをユーザ画面処理部７ｄに出力する。
【００３０】
ユーザ画面処理部７ｄは、その後、記憶部７Ｘに記憶されているユーザ毎画面データ７ｇに基づいて認証されたユーザに関連付けられた管理画面Ｍに関する設定データを取得する。ユーザ画面処理部７ｄは、認証されたユーザの認証用データ３ｂ及び上記の設定データを認証結果通知処理部７ｅに出力する。認証結果通知処理部７ｅは、認証用データ３ｂ及び、ユーザ毎画面設定データ７ｈを監視制御サーバ５に送信する。
【００３１】
監視制御サーバ５は、ユーザ毎に関連付けられた管理画面Ｍを、ネットワークＷを介して一元的に管理する。監視制御サーバ５は、画面表示受付処理部５ａと、記憶部５Ｘとを備える。画面表示受付処理部５ａは、認証結果通知処理部７ｅから認証用データ３ｂ及び、ユーザ毎画面設定データ７ｈを受信すると、記憶部５Ｘに記憶された、認証後のユーザに対応した拠点別系統画面データ５ｂを参照する。
【００３２】
画面表示受付処理部５ａは、参照した拠点別系統画面データ５ｂから認証されたユーザに関連した管理画面Ｍの画面データ５ｃを生成し、制御装置クライアント３に送信する。制御装置クライアント３では、画面データ５ｃに基づいて表示部４にユーザに関連付けられた管理画面Ｍが表示される。
【００３３】
ここで、制御装置２Ａのユーザは、制御装置２Ｂの認証装置６で認証操作を行ってもよい。この場合、制御装置２Ｂの制御装置クライアント３では、表示部４に制御装置２Ａのユーザに関連付けられた制御装置２Ａの管理画面Ｍが表示される。同様に、制御装置２Ｂのユーザは、制御装置２Ａの認証装置６で認証操作を行ってもよい。
【００３４】
この場合も上記と同様に、制御装置２Ａの制御装置クライアント３では、表示部４に制御装置２Ｂのユーザに関連付けられた制御装置２Ｂの管理画面Ｍが表示される。
【００３５】
上述のように管理サーバＳは、複数の電力設備Ｐのそれぞれと一以上のユーザとを関連付けて管理する。そして、管理サーバＳは、複数の認証装置６のうち１つの認証装置６を介した認証が成立した場合、１つの認証装置６に対応付けられた制御装置クライアント３に、ユーザに関連づけられている電力設備Ｐの管理画面Ｍを表示させる。
【００３６】
そして、管理サーバＳは、複数の認証装置６のうち１つの認証装置６を介した認証が成立した場合、認証に用いられた認証装置６が複数の認証装置６のうちいずれの認証装置６であるかにかかわらず、１つの認証装置６に対応付けられた制御装置クライアント３に、ユーザに関連づけられている電力設備Ｐの管理画面Ｍを表示させる。
【００３７】
また、管理サーバＳは、複数の認証装置６のうち１つの認証装置６でユーザが認証操作を行った場合、認証操作に基づく情報を認証装置６から取得し、取得した情報と、予め記憶された認証データに基づいて電力設備Ｐを管理するユーザを認証する。
【００３８】
その他、管理サーバＳは、複数の認証装置６のうち１つの認証装置６でユーザが認証操作を行った場合、認証操作が行われた認証装置６から認証結果を取得する。
【００３９】
一方、制御装置クライアント３では、それぞれが表示部４を備え、通信網に接続された複数の電力設備Ｐを管理する。そして、制御装置クライアント３は、予め記憶された認証データに基づくユーザの認証に用いられる認証装置と接続され、接続された認証装置６を介した認証が成立した場合、通信網に接続された複数の電力設備Ｐのそれぞれと一以上のユーザとを関連付けて管理する管理サーバＳから、ユーザに関連づけられている電力設備Ｐの管理画面Ｍを表示するための情報を取得し、管理サーバＳから取得した情報に基づく画面を、自身が有する表示部４に表示させる。
【００４０】
次に電力設備監視制御システム１の処理の流れについて説明する。図２は、電力設備監視制御システム１の処理の流れを示すフローチャートである。
【００４１】
まず、ユーザの認証データを管理する管理者は、認証サーバメンテナンス端末８からカード認証によってユーザを識別するためのカード識別データ８ａを入力する。入力されたカード識別データ８ａは、認証サーバ７のユーザ毎カード登録処理部７ａによってユーザ毎カード識別データ７ｆとして記憶部７Ｘに記憶される。これにより、ユーザの認証データが認証サーバ７に登録される（ステップＳ１００）。
【００４２】
また、管理者は、認証サーバメンテナンス端末８から、ユーザが認証された後にユーザ毎に関連して表示される管理画面Ｍの設定に関する画面設定データ８ｂを入力する。入力された画面設定データ８ｂは、認証サーバ７のユーザ画面設定処理部７ｂによってユーザ毎画面データ７ｇとして記憶部７Ｘに記憶される。これにより、ユーザのユーザ毎画面データ７ｇが認証サーバ７に登録される。
【００４３】
例えば、電力設備Ｐｂを管理しているユーザが制御装置２Ａを使用する場合、ユーザは、所有するカードを用いて制御装置２Ａに対応する認証装置６で認証操作を行う。このとき、認証装置６は、カードからカード読み取りデータ６ａを読み取る（ステップＳ１０１）。認証装置６は、制御装置クライアント３にカード読み取りデータ６ａを出力する。
【００４４】
制御装置クライアント３のカード認証受付処理部３ａは、認証装置６が読み取ったカード読み取りデータ６ａ及び認証装置６に対応した表示先となる表示部４を特定するデータを含む認証用データ３ｂを認証サーバ７に送信する。認証サーバ７においてカード認証照合処理部７ｃは、認証用データ３ｂを受信し、記憶部７Ｘに記憶されたユーザ毎カード識別データ７ｆと認証用データ３ｂとを照合する（Ｓ１０２）。
【００４５】
カード認証照合処理部７ｃは、ユーザを照合した結果、ユーザが認証されなかった場合（Ｓ１０２：Ｎｏ）、制御装置クライアント３に照合が失敗したことを通知する。制御装置クライアント３において画面表示処理部３ｃは、ユーザを認証しなかった通知を受信すると、照合エラー画面を表示するための表示画面データ３ｄを表示部４に出力する。表示部４は、表示画面データ３ｄに基づいて照合エラー画面を表示する（ステップＳ１０４）。
【００４６】
カード認証照合処理部７ｃは、ユーザを照合した結果、ユーザが認証された場合（Ｓ１０２：Ｙｅｓ）、認証されたユーザの認証用データ３ｂをユーザ画面処理部７ｄに出力する。ユーザ画面処理部７ｄは、表示する管理画面Ｍの設定を記憶部７Ｘに記憶されたユーザ毎画面データ７ｇで参照し、認証されたユーザの認証用データ３ｂ及び管理画面Ｍの設定データを認証結果通知処理部７ｅに出力する。
【００４７】
認証結果通知処理部７ｅは、認証用データ３ｂ及び、ユーザ毎画面設定データ７ｈを監視制御サーバ５に送信する。
【００４８】
監視制御サーバ５において画面表示受付処理部５ａは、認証結果通知処理部７ｅから認証用データ３ｂ及び、ユーザ毎画面設定データ７ｈを受信すると、記憶部５Ｘに記憶された、認証後のユーザに関連した拠点別系統画面データ５ｂを参照する。
【００４９】
画面表示受付処理部５ａは、参照した拠点別系統画面データ５ｂから認証されたユーザに関連した管理画面Ｍの画面データ５ｃを生成し、制御装置クライアント３に送信する。
【００５０】
制御装置クライアント３では、画面データ５ｃに基づいて制御装置２Ａの表示部４に電力設備Ｐｂを管理するユーザに関連付けられた電力設備Ｐｂの管理画面Ｍが表示される（Ｓ１０３）。同様に、電力設備Ｐａを管理しているユーザが制御装置２Ｂを使用する場合、制御装置２Ｂの表示部４に電力設備Ｐａを管理するユーザに関連付けられた電力設備Ｐａの管理画面Ｍが表示される。
【００５１】
以下、表示部４に表示される管理画面Ｍの具体例を説明する。
【００５２】
図３〜図５は、表示部４に表示される管理画面Ｍの一例を示す図である。図２に示されるように、拠点Ａで業務を行っているユーザ１が拠点Ａの制御装置２Ａを用いる場合、ユーザ１は、自身が所有するカードで認証装置６による認証操作を行う。認証装置６でユーザ１が認証されると、表示部４には、ユーザが所属する拠点Ａに関する管理画面Ｍが表示される（図３（ａ）参照）。ユーザ１が管理画面Ｍで拠点Ａを選択すると、表示部４には、ユーザ１が業務を行っているａ変電所に関する管理画面Ｍが表示される（図３（ｂ）参照）。
【００５３】
ユーザ１が管理画面Ｍでａ変電所を選択すると、表示部４には、ａ変電所の電力設備を選択するための管理画面Ｍが表示される（図３（ｃ）参照）。ユーザ１が管理画面Ｍで操作対象の電力設備を選択すると、表示部４には、電力設備の操作に関する管理画面Ｍが表示される（図３（ｄ）参照）。
【００５４】
図４には、拠点Ｂで業務を行っているユーザ２が拠点Ｂの制御装置２Ｂを用いる場合に表示部４に示される管理画面Ｍが例示されている。この場合に表示される管理画面Ｍは、図２の場合と同様である。このように、ユーザ１は、自身が所有するカードを用いて認証装置６による認証操作を行うだけで、自身が業務している電力設備の操作に関する管理画面Ｍを表示部４に表示させることができる。
【００５５】
図５には、拠点Ｂで業務を行っているユーザ２が異なる拠点Ａの制御装置２Ａを用いる場合、表示部４に示される管理画面Ｍが例示されている。拠点Ｂで業務を行っているユーザ１が拠点Ａの制御装置２Ａを用いる場合、ユーザ１は、自身が所有するカードで認証装置６による認証操作を行う。認証装置６でユーザ１が認証されると、表示部４には、ユーザが所属する拠点Ｂに関する管理画面Ｍが表示される（図５（ａ）参照）。図５（ｂ）以降の操作及び表示部４に表示される管理画面Ｍは図３（ｂ）以降と同様である。
【００５６】
図６は、複数の拠点で認証されたユーザに表示される管理画面Ｍを示す図である。図示するように、電力設備監視制御システム１において、管理サーバＳは、複数の拠点のそれぞれの表示部４に、認証されたユーザが管理する電力設備の操作に関する管理画面Ｍを表示させる。ユーザは、認証された管理端末の位置にかかわらず１つの認証装置６に対応付けられた表示部４に、ユーザが管理する業電力設備の操作に関する管理画面Ｍを表示させることができる。
【００５７】
上述したように第１の実施形態の電力設備監視制御システム１によると、ユーザがネットワークＷに接続する電力設備を管理する任意の制御装置を使用して、ユーザが所有するカードを用いてユーザ認証を行うことができる。そして、電力設備監視制御システム１によると、認証の結果予めユーザに関連付けられた管理画面Ｍを表示させることにより、ユーザは自身の拠点に設置されている制御装置以外の他の拠点に設置されている制御装置で自己が管理している電力設備を制御することができる。即ち、電力設備監視制御システム１によると、ユーザは制御装置の場所に依存することなく自己が管理している電力設備を制御することができる。
【００５８】
また、電力設備監視制御システム１によると、ユーザが管理している電力設備の管理画面Ｍを表示させることにより、必要としない管理画面Ｍの表示による業務効率の低下や誤操作を防止することができる。
【００５９】
（第２の実施形態）
第１の実施形態に係る電力設備監視制御システム１によると、ユーザが認証装置６で認証されると、ユーザが所属する拠点の電力設備の操作に関する管理画面Ｍが表示部４に表示された。第２の実施形態に係る電力設備監視制御システム１０では、ユーザの業務内容毎にグループを設定し、表示部４にユーザが管理する業務に関連した管理画面を表示させる。以下の説明では、第１の実施形態と同一の構成については同一の符号を用い、同一または同様の構成の説明については適宜省略する。
【００６０】
図７は、第２の実施形態に係る電力設備監視制御システム１０の構成を示すブロック図である。図７は、電力設備監視制御システム１０において制御装置２Ｃ，２Ｄ，２Ｅは、例えば、それぞれ管理する業務が異なるユーザが使用している状態を示す。例えば、制御装置２Ｃは電力設備の送電・変電ユーザに使用され、制御装置２Ｄは電力設備の配電ユーザに使用され、制御装置２Ｅは電力設備の需給・系統運用ユーザに使用されている。
【００６１】
それぞれの表示部４には、ユーザが管理する業務に関連した管理画面Ｍが表示される。電力設備監視制御システム１０の構成は、第１の実施形態に係る電力設備監視制御システム１の構成と基本的に同じである。
【００６２】
ユーザデータを管理する管理者は、認証サーバメンテナンス端末８でユーザデータを管理する際、ユーザ毎に管理する業務を関連させ、カード識別データ８ａ及び管理する業務に関連する管理画面Ｍに関する画面設定データ８ｃを入力する。ユーザ画面設定処理部７ｉは、入力された画面設定データ８ｃに基づいて、記憶部７Ｘに記憶されているユーザ毎画面データ７ｋを更新する。
【００６３】
ユーザがいずれかの制御装置２Ｃ〜２Ｅの認証装置６で認証操作を行うと、認証サーバ７は、ユーザ毎カード識別データ７ｆに基づいてユーザを認証する。カード認証照合処理部７ｃは、ユーザを照合する。照合の結果ユーザが認証された場合、カード認証照合処理部７ｃは、認証されたユーザの認証用データ３ｂをユーザ画面処理部７ｊに出力する。
【００６４】
ユーザ画面処理部７ｊは、表示する管理画面Ｍの設定を記憶部７Ｘに記憶されたユーザ毎画面データ７ｋで参照する。ユーザ画面処理部７ｊは、認証されたユーザの認証用データ３ｂ及びユーザの管理する業務に関連する管理画面Ｍの設定データを認証結果通知処理部７ｅに出力する。
【００６５】
認証結果通知処理部７ｅは、認証用データ３ｂ及び、ユーザの管理する業務に関連するユーザ毎画面設定データ７ｍを監視制御サーバ５に送信する。
【００６６】
監視制御サーバ５において画面表示受付処理部５ａは、認証結果通知処理部７ｅから認証用データ３ｂ及び、ユーザ毎画面設定データ７ｍを受信すると、記憶部５Ｘに記憶された、認証後のユーザの管理する業務に関連した拠点別系統画面データ５ｅを参照する。
【００６７】
画面表示受付処理部５ａは、参照した拠点別系統画面データ５ｅから認証されたユーザの管理する業務に関連した管理画面Ｍの画面データ５ｃを生成し、制御装置クライアント３に送信する。
【００６８】
制御装置クライアント３では、画面データ５ｃに基づいて、ユーザが認証操作を行った認証装置６に関連付けられた、いずれかの制御装置２Ｃ〜２Ｅの表示部４に、ユーザの管理する業務に関連する電力設備の管理画面Ｍが表示される。
【００６９】
即ち、管理サーバＳは、１つの認証装置６がユーザを認証した場合、認証した制御装置の位置にかかわらず１つの認証装置６に関連付けられた制御装置に、ユーザが管理する業務に関連した管理画面Ｍを表示させる。
【００７０】
図８は、電力設備の業務に関連したユーザに表示される管理画面Ｍの例を示す図である。例えば、電力設備の系統制御の業務を担当しているユーザが認証装置６に自信が所有するカードで認証操作を行って認証されると、ユーザの管理する業務である電力設備の系統制御の管理画面Ｍが表示される。
【００７１】
図９及び図１０は、電力設備の他の業務に関連したユーザに表示される管理画面Ｍの例を示す図である。例えば、配電の作業計画を行う業務を担当しているユーザが認証されると、ユーザの管理する業務である電力設備の配電の作業計画に関連する管理画面Ｍが表示される。
【００７２】
上述したように第２の実施形態の電力設備監視制御システム１０によると、ユーザは、自信が所有するカードで認証操作を行うだけで認証した制御装置の位置にかかわらず、多数ある業務画面の中から迅速に自身の業務に関連した管理画面Ｍを表示部４に表示させることができ、電力設備の業務に関する作業効率を向上させることができる。
【００７３】
（第３の実施形態）
第１及び第２の実施形態に係る電力設備監視制御システムでは、ユーザを認証するために、認証媒体であるカードで認証操作を行っている。認証装置６による認証においては、認証媒体が継続して読み出されることによってユーザを認証するので、認証媒体が認証装置６から外れた場合にユーザの認証が解除される。そのため、ユーザの不作為によってカードが認証装置６から外れた場合、ユーザの認証が解除されて、ユーザが再び認証操作を行った後に表示部４に表示される管理画面Ｍが初期化されて表示される可能性がある。
【００７４】
第３の実施形態に係る電力設備監視制御システム２０では、認証装置６からカードが外れるなど、認証が解除された場合でも所定条件下で管理画面Ｍを保持する。以下の説明では、上記の実施形態と同一の構成については同一の符号を用い、同一または同様の構成の説明については適宜省略する。
【００７５】
図１１は、第３の実施形態に係る電力設備監視制御システム２０の構成を示すブロック図である。電力設備監視制御システム２０の制御装置クライアント３は、例えば、認証装置６から通知される認証解除通知データ６ｂを受け付ける認証解除受付処理部３ｅと、認証解除により管理画面Ｍを認証前の状態に戻す画面消去処理部３ｆと、を備える。認証解除受付処理部３ｅ、画面消去処理部３ｆの構成は、管理サーバＳ側に設けられていてもよい。
【００７６】
ユーザが認証装置６にカードを認識させて認証を継続している状態から、カードが外れる等して認証が解除された場合、認証装置６から認証解除通知データ６ｃが認証解除受付処理部３ｅに通知される。認証解除受付処理部３ｅは、予め設定されていた所定の時間を経過した後に、画面消去処理部３ｆに画面消去を要求する解除通知を行う。所定時間は、例えば１０秒に設定される。
【００７７】
画面消去処理部３ｆは、認証解除受付処理部３ｅからの解除通知を受信すると、表示部４に表示されている管理画面Ｍを消去して認証前の状態に戻す。また、カードが認証装置６に対して再び認識され場合、認証装置６からカード読み取りデータ６ａが出力される。認証解除受付処理部３ｅは、所定の時間内にカード読み取りデータ６ａを受信した場合、再認証通知を認証解除受付処理部３ｅに通知する。
【００７８】
認証解除受付処理部３ｅは、再認証通知が予め設定されていた所定の時間内の場合、画面消去処理部３ｆに解除通知を行わない。認証解除受付処理部３ｅは、表示部４に表示されている管理画面Ｍを維持して表示させる。
【００７９】
従って、制御装置クライアント３は、認証装置６によって認証が継続されている認証対象が外れてユーザの認証が解除された場合、解除されてから予め設定された所定の時間内では表示部４にユーザが管理する認証後の管理画面Ｍを表示させ、所定の時間が経過した後は表示部４に認証前の管理画面Ｍを表示させる。また、上記の制御装置クライアント３の処理は、管理サーバＳ側が行ってもよい。
【００８０】
この他、制御装置２Ａ，２Ｂからユーザが意図して離席して認証が解除された後、ユーザが他の所定の時間内に戻る場合がある。このような場合に対応して画面消去処理部３ｆは、認証が解除された場合に表示部４に管理画面Ｍを維持するか否かユーザに選択させる画面を出力させてもよい。この場合、他の所定の時間内にユーザが再認識された場合、画面消去処理部３ｆは、表示部４に表示されている管理画面Ｍを維持して表示させ、他の所定の時間を経過した場合は、表示部４に表示されている管理画面Ｍを消去させて認証前の状態に戻させてもよい。他の所定の時間は、例えば５分に設定される。
【００８１】
上述したように第３の実施形態の電力設備監視制御システム２０によると、認証装置６からカードが外れるなど、所定の条件下で認証が解除された場合でも、解除が通知されてから、予め設定されている所定の時間の間は管理画面Ｍを表示させておくことができ、意図しない認証解除による業務効率の低下を防止することができる。
【００８２】
以上説明した少なくともひとつの実施形態によれば、表示部４を備え、ネットワークＷに接続された複数の電力設備Ｐを管理するための複数の制御装置２に対応付けられ、予め記憶された認証データに基づくユーザの認証に用いられる複数の認証装置６と、
ネットワークＷに接続され、複数の電力設備Ｐのそれぞれと一以上のユーザとを関連付けて管理し、複数の認証装置６のうち１つの認証装置６を介した認証が成立した場合、１つの認証装置６に対応付けられた制御装置２に、ユーザに関連づけられている電力設備Ｐの管理画面Ｍを表示させる管理サーバＳと、を持つことにより、ユーザを認識すると共に、表示部４にユーザが管理する電力設備Ｐの操作に関する管理画面Ｍを表示させることができる。
【００８３】
上述の制御装置クライアント３、監視制御サーバ５、及び認証サーバ７を構成する各ブロックは、例えば、ＣＰＵ（Central Processing Unit）などのプロセッサがプログラムを実行することにより実現される。また、制御装置クライアント３、監視制御サーバ５、及び認証サーバ７のうち一部または全部の機能部は、ＬＳＩ（Large Scale Integration）やＡＳＩＣ（Application Specific Integrated Circuit）、ＦＰＧＡ（Field-Programmable Gate Array）などのハードウェアによって実現されてもよいし、ソフトウェアとハードウェアが協働するものであってもよい。
【００８４】
また、制御装置クライアント３、監視制御サーバ５、及び認証サーバ７以外の機能部は、同様にプロセッサとプログラムによって実現されてもよいし、ＬＳＩやＡＳＩＣ、ＦＰＧＡなどのハードウェアによって実現されてもよいし、ソフトウェアとハードウェアが協働するものであってもよい。
【００８５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８６】
１…電力設備監視制御システム、２，２Ａ，２Ｂ，２Ｃ，２Ｄ，２Ｅ…制御装置、３…制御装置クライアント、３ａ…カード認証受付処理部、３ｂ…認証用データ、３ｃ…画面表示処理部、３ｄ…表示画面データ、３ｅ…認証解除受付処理部、３ｆ…画面消去処理部、４…表示部、５…監視制御サーバ、５ａ…画面表示受付処理部、５ｂ…拠点別系統画面データ、５ｃ…画面データ、５ｅ…拠点別系統画面データ、５Ｘ…記憶部、６…認証装置、６ａ…カード読み取りデータ、６ｂ…認証解除通知データ、６ｃ…認証解除通知データ、７…認証サーバ、７ａ…ユーザ毎カード登録処理部、７ｂ…ユーザ画面設定処理部、７ｃ…カード認証照合処理部、７ｄ…ユーザ画面処理部、７ｅ…認証結果通知処理部、７ｆ…ユーザ毎カード識別データ、７ｇ…ユーザ毎画面データ、７ｈ…ユーザ毎画面設定データ、７ｉ…ユーザ画面設定処理部、７ｊ…ユーザ画面処理部、７ｋ…ユーザ毎画面データ、７ｍ…ユーザ毎画面設定データ、７Ｘ…記憶部、８…認証サーバメンテナンス端末、８ａ…カード識別データ、８ｂ…画面設定データ、８ｃ…画面設定データ、１０…電力設備監視制御システム、２０…電力設備監視制御システム、Ｈ…ハブ（ＨＵＢ）、Ｍ…管理画面、Ｑ…遠方監視制御装置、Ｓ…管理サーバ、Ｗ…ネットワーク、Ｘ…記憶部
【図１】
2018152967.tif 000003
【図２】
2018152967.tif 000004
【図３】
2018152967.tif 000005
【図４】
2018152967.tif 000006
【図５】
2018152967.tif 000007
【図６】
2018152967.tif 000008
【図７】
2018152967.tif 000009
【図８】
2018152967.tif 000010
【図９】
2018152967.tif 000011
【図１０】
2018152967.tif 000012
【図１１】
2018152967.tif 000013
【図１２】
2018152967.tif 000014